(57)【要約】  モジュール式の電子デバイスをシャーシから取り外す装置及びその組み立て方法が提供される。モジュール式の電子デバイスをシャーシから取り外す装置は、シャーシに旋回的に連結されるドアと、ドアと摺動可能に係合する摺動要素と、排出アクチュエータと、摺動要素を排出アクチュエータと接続するリンク要素とを含み、排出アクチュエータは、排出アクチュエータに並びにシャーシの後方に接続されるバネ部材を含む。加えて、モジュール式の電子デバイスをシャーシから取り外す装置は、モジュール式の電子デバイスを案内し且つ排出アクチュエータをシャーシ筐体に沿って案内するよう、シャーシ筐体内に配置されるガイドレールを含む。
2016525796.tif 000002
【特許請求の範囲】
【請求項１】
モジュール式の電子デバイスをシャーシから取り外す装置であって、
シャーシ筐体の正面において前記シャーシに旋回的に連結されるドアを含み、前記シャーシ筐体は、前記モジュール式の電子デバイスを取り囲むように構成され、
前記ドアと摺動可能に係合する摺動要素を含み、該摺動要素は、前記ドアに沿って動くように構成され、
前記シャーシ筐体の後方に配置される排出アクチュエータを含み、該排出アクチュエータは、バネ部材を含み、該バネ部材は、第１のバネ部材端と、第２のバネ部材端とを有し、前記第１のバネ部材端は、前記排出アクチュエータに接続され、前記第２のバネ部材端は、前記シャーシの後方に接続され、
第１のリンク要素端と、第２のリンク要素端とを有する、リンク要素を含み、該リンク要素は、前記第１のリンク要素端によって、前記摺動要素に接続され、前記第２のリンク要素端によって、前記排出アクチュエータに接続され、前記リンク要素は、前記シャーシへの前記ドアの旋回的な連結の地点を通過する、
装置。
【請求項２】
前記ドアは、閉塞位置と開放位置との間で回転するように構成され、前記閉塞位置において、前記ドアは、前記シャーシ筐体を覆って、前記モジュール式の電子デバイスが前記シャーシから取り外されるのを防止し、前記開放位置において、前記ドアは、前記シャーシからの前記モジュール式の電子デバイスの取外しを可能にする、請求項１に記載の装置。
【請求項３】
前記排出アクチュエータは、前記シャーシ筐体に沿って動いて前記モジュール式の電子デバイスを前記シャーシから取り外すように構成される、請求項１に記載の装置。
【請求項４】
前記モジュール式の電子デバイスを案内するよう、前記シャーシ筐体内に配置される少なくとも１つのガイドレールを更に含み、該少なくとも１つのガイドレールは、前記シャーシ筐体の開口の辺りから前記シャーシ筐体の後方まで延びる、請求項１に記載の装置。
【請求項５】
前記排出アクチュエータは、前記ガイドレールに沿って動くように構成される、請求項４に記載の装置。
【請求項６】
前記バネ部材は、前記排出アクチュエータを前記シャーシ筐体内の初期位置に戻すように構成される、請求項１に記載の装置。
【請求項７】
前記排出アクチュエータは、隅持送りを含む、請求項１に記載の装置。
【請求項８】
前記ドアの長さは、前記モジュール式の電子デバイスの排出の力を調整するよう可変である、請求項１に記載の装置。
【請求項９】
前記排出アクチュエータは、電気モータで機械化される、請求項１に記載の装置。
【請求項１０】
前記排出アクチュエータは、前記モジュール式の電子デバイスの完全な又は不完全な挿入又は取外しを使用者に警報するように構成される少なくとも１つの感知手段に電子的に連結される、請求項１に記載の装置。
【請求項１１】
前記警報は、前記シャーシと関連付けられる１つ又はそれよりも多くの発光ダイオード（ＬＥＤ）によって促進される、請求項１０に記載の装置。
【請求項１２】
前記摺動要素は、前記シャーシとの係合位置において前記ドアを施錠するように構成される施錠部材を含む、請求項１に記載の装置。
【請求項１３】
前記施錠部材は、ラッチを含む、請求項１３に記載の装置。
【請求項１４】
前記モジュール式の電子デバイスは、ハードディスクドライブ（ＨＤＤ）、ソリッドステートディスク（ＳＳＤ）、ディスクアレイ、コンパクトディスク、及びフラッシュメモリモジュールを含む、請求項１３に記載の装置。
【請求項１５】
モジュール式の電子デバイスをシャーシから取り外す装置を組み立てる方法であって、
摺動要素をドアと摺動可能に係合させることを含み、
シャーシ筐体の正面において前記ドアを前記シャーシに旋回的に連結することを含み、前記シャーシ筐体は、前記モジュール式の電子デバイスを取り囲むように構成され、
排出アクチュエータを前記シャーシ筐体の後方に配置することを含み、
第１のバネ部材端と第２のバネ部材端とを有するバネ部材を、前記第１のバネ部材端によって前記排出アクチュエータに接続し、前記第２のバネ部材端によって前記シャーシの後方に接続することを含み、
第１のリンク要素端と第２のリンク要素端とを有するリンク要素を、前記第１のリンク要素端によって前記摺動要素に接続し、前記第２のリンク要素端によって前記排出アクチュエータに接続することを含み、
前記シャーシへの前記ドアの旋回的な連結の地点を通じて前記リンク要素を据えることを含む、
方法。
【請求項１６】
前記モジュール式の電子デバイスを案内するよう、少なくとも１つのガイドレールを前記シャーシ筐体内に配置することを更に含む、請求項１５に記載の方法。
【請求項１７】
前記モジュール式の電子デバイスの排出の力を調整するよう、前記ドアの長さを変更することを更に含む、請求項１５に記載の方法。
【請求項１８】
前記モジュール式の電子デバイスの完全な又は不完全な挿入又は取外しを使用者に警報するように構成される少なくとも１つの感知手段に前記排出アクチュエータを電子的に連結することを更に含む、請求項１５に記載の方法。
【請求項１９】
電気モータで前記排出アクチュエータを機械化することを更に含む、請求項１５に記載の方法。
【請求項２０】
モジュール式の電子デバイスをシャーシから取り外す装置であって、
シャーシ筐体の正面において前記シャーシに旋回的に連結されるドアを含み、前記シャーシ筐体は、前記モジュール式の電子デバイスを取り囲むように構成され、
前記ドアは、閉塞位置と開放位置との間で回転するように構成され、前記閉塞位置において、前記ドアは、前記シャーシ筐体を覆って、前記モジュール式の電子デバイスが前記シャーシから取り外されるのを防止し、前記開放位置において、前記ドアは、前記シャーシからの前記モジュール式の電子デバイスの取外しを可能にし、
前記ドアと摺動可能に係合する摺動要素を含み、該摺動要素は、前記ドアに沿って動くように構成され、
当該装置は、
前記シャーシとの係合位置を固定するように構成される施錠部材を含み、
前記モジュール式の電子デバイスを案内するよう前記シャーシ筐体内に配置される少なくとも１つのガイドレールを含み、該少なくとも１つのガイドレールは、前記シャーシ筐体の開口の辺りから前記シャーシ筐体の後方まで延び、
前記シャーシ筐体の後方に配置される排出アクチュエータを含み、該排出アクチュエータは、バネ部材を含み、該バネ部材は、第１のバネ部材端と、第２のバネ部材端とを有し、前記第１のバネ部材端は、前記排出アクチュエータに接続され、前記第２のバネ部材端は、前記シャーシの後方に接続され、
前記バネ部材は、前記排出アクチュエータを前記シャーシ筐体内の初期位置に戻すように構成され、
前記排出アクチュエータは、隅持送りを含み、
前記排出アクチュエータは、前記少なくとも１つのガイドレールに沿って動いて前記モジュール式の電子デバイスを前記シャーシから取り外すように構成され、
第１のリンク要素端と第２のリンク要素端とを有するリンク要素を含み、該リンク要素は、前記第１のリンク要素端によって前記摺動要素に接続され、前記第２のリンク要素端によって前記排出アクチュエータに接続され、前記リンク要素は、前記シャーシへの前記ドアの旋回的な連結の地点を通過する、
装置。
【発明の詳細な説明】
【技術分野】
【０００１】
この開示は、一般的には、電子機器(electronic  equipment)のシャーシ内にアセンブリを取り付ける構造(structures)に関し、より具体的には、モジュール式の電子デバイス(electronic  device)をシャーシから取り外す装置(apparatus)及びそれを組み立てる方法に関する。
【背景技術】
【０００２】
この欄に記載するアプローチを追求し得るが、必ずしも以前に着想され或いは追求されたアプローチではない。従って、特段に示されない限り、この欄に記載するアプローチのいずれも、それらがこの欄に含められているという理由だけで、従来技術として適格であると推定されてはならない。
【０００３】
プロセッサ、ルータ、スイッチ、様々な周辺デバイス、記憶装置、及び同等物のような、電子機器は、モジュール式に組み立てられることがある。このアプローチは、製造業者が予め組み立てられたモジュールの様々な組み合わせを用いて電子機器を組み立てるのを可能にすることがある。加えて、モジュール式に組み立てられた電子機器の使用者は、電子機器のモジュールを容易に交換し或いは組み立て直し得ることがある。予め組み立てられたモジュール式の電子機器(electronics)の例は、データ記憶デバイス、プリント回路基板、カーオーディオのようなオーディオ／ビデオ電子器具(electronic  appliance)、及び任意の他の取り外し可能に取り付けられる電子デバイスを含む。
【０００４】
特に、データ記憶デバイスは、私的目的及び事業目的の両方のために情報を格納するために広く用いられている。データ記憶デバイスは、例えば、映画を再生するために、メディアデバイスにファイルをコピーし或いはメディアデバイスからファイルをコピーするために、写真を見るために電子機器に接続されるときに、一時的に使用されることがあり、そして、例えば、格納拡張及び機能強化のために、長期的に使用されることがある。典型的には、データ記憶デバイスは、機器筐体内のアライメント（整列）をもたらすよう、並びにデータ記憶装置の挿入又は除去のための支承面としての機能を果たすよう、ネジで電子機器に取り付けられるキャリアの使用を必要とする。モジュール式の電子デバイスを取り付けるこの方法は複雑であり且つ時間がかかることがある。それに加えて、モジュール式の電子デバイスの動作によって引き起こされる振動が、ネジの緩みを引き起こし、その結果、モジュール式の電子デバイスの損傷を引き起こすことがある。
【発明の概要】
【発明が解決しようとする課題】
【０００５】
既存のキャリアなしの解決策は、大抵、シャーシ内のモジュール式の電子デバイスのアライメントの課題を解決することを試みるが、モジュール式の電子デバイスを電子デバイスのコネクタから切り離す課題並びにモジュール式の電子デバイスに適用される排出力の課題は取り組まれていない。
【課題を解決するための手段】
【０００６】
この概要は一揃いの着想を簡略化された形態において導入するために提供され、それらの発明を実施するための形態の欄において以下に更に記載する。この概要は請求する主題の鍵となる構成(features)又は本質的な構成を特定することを意図せず、請求する主題の範囲を決定する際の助けとして用いられることも意図しない。
【０００７】
ここに記載する様々な実施態様及び原理によれば、従来技術の課題はモジュール式の電子デバイスをシャーシから取り外す装置及びその装置を組み立てる方法によって取り組まれる。
【０００８】
１つの特徴(aspect)によれば、モジュール式の電子デバイスをシャーシから取り外す装置が提供される。装置は、モジュール式の電子デバイスを取り囲むように構成されるシャーシ筐体の正面でシャーシに旋回的に連結されるドアを含んでよい。装置は、ドアと摺動可能に係合し且つドアに沿って動くように構成される摺動要素を更に含んでよい。装置の排出アクチュエータをシャーシ筐体の後方に配置してよい。排出アクチュエータはバネ部材を含んでよい。バネ部材を排出アクチュエータに並びにシャーシの後方に接続してよい。装置はリンク要素を更に含んでよい。リンク要素を摺動要素に並びに排出アクチュエータに接続してよく、リンク要素は、シャーシへのドアの旋回的な連結の地点を通過してよい。装置は、追加的に、モジュール式の電子デバイスを案内するよう、シャーシ筐体内に配置される少なくともガイドレールを含んでよい。ガイドレールは、シャーシ筐体の開口の辺りからシャーシ筐体の後方まで延びてよい。
【０００９】
他の特徴によれば、モジュール式の電子デバイスをシャーシから取り外す装置を組み立てる方法が提供される。本方法によれば、摺動要素をドアと摺動可能に係合させてよい。ドアは、シャーシ筐体の正面においてシャーシに旋回的に連結されてよい。本方法は、排出アクチュエータをシャーシ筐体の後方に配置すること及びバネ部材を排出アクチュエータに並びにシャーシの後方に接続することを更に含んでよい。次に、リンク要素を用いて摺動要素及び排出アクチュエータを接続してよい。次に、シャーシへのドアの旋回的な連結の地点を通じてリンク要素を据えてよい。幾つかの実施態様において、本方法は、モジュール式の電子デバイスを案内するよう、少なくとも１つのガイドレールをシャーシ筐体内に配置することを含んでよい。
【００１０】
前述のこと及び関連する目的を達成するために、１つ又はそれよりも多くの特徴は、以下に十分に記載し且つ請求項中で特に指摘する構成(features)を含む。以下の記述及び図面は、１つ又はそれよりも多くの特徴の特定の例示的な構成を詳細に示す。しかしながら、これらの構成は、様々な特徴の原理を利用してよい様々な方法のほんの数例を示しており、この記述は、全てのそのような特徴及びそれらの均等物を含むことを意図する。
【００１１】
実施態様は一例として例示され、添付の図面の図における限定ではない。図面において、同等の参照符号は類似の要素を示す。
【図面の簡単な説明】
【００１２】
【図１】幾つかの例示的な実施態様に従った、モジュール式の電子デバイスをシャーシから取り外す装置を示す略図である。
【００１３】
【図２Ａ】幾つかの例示的な実施態様に従った、モジュール式の電子デバイスをシャーシから取り外す装置を示す斜視図である。
【００１４】
【図２Ｂ】幾つかの例示的な実施態様に従った、モジュール式の電子デバイスをシャーシから取り外す装置を示す斜視図である。
【００１５】
【図３】幾つかの例示的な実施態様に従った、モジュール式の電子デバイスをシャーシから取り外す装置の組立てを示す概略図である。
【００１６】
【図４】幾つかの例示的な実施態様に従った、モジュール式の電子デバイスをシャーシから取り外す装置を組み立てる方法を示すフローチャートである。
【００１７】
【図５Ａ】幾つかの例示的な実施態様に従った、シャーシ内へのモジュール式の電子デバイスの挿入を示す概略図である。
【００１８】
【図５Ｂ】幾つかの例示的な実施態様に従った、シャーシからのモジュール式の電子デバイスの取外しを示す概略図である。
【００１９】
【図６】幾つかの例示的な実施態様に従った、モジュール式の電子デバイスをシャーシから取り外す装置を使用する方法を示すフローチャートである。
【発明を実施するための形態】
【００２０】
以下の詳細な記述は、詳細な記述の一部を形成する添付の図面への言及を含む。図面は、例示的な実施態様に従った例示を示す。当業者が本主題を実施することを可能にするよう、これらの例示的な実施態様を十分に詳細に記載し、それらをここでは実施例とも呼ぶ。請求する範囲から逸脱することなく、実施態様を組み合わせ得るし、他の実施態様を利用し得るし、或いは構造的な、理論的な、及び電気的な変更を行い得る。従って、以下の詳細な記述は限定的な意味において理解されてならず、その範囲は付属の請求項及びそれらの均等物によって定められる。
【００２１】
ここに記載するアプローチ及び原理は、モジュール式の電子デバイスをシャーシから取り外す装置及びモジュール式の電子デバイスをシャーシから取り外す装置を組み立てる方法に関する。電子機器は、シャーシを備えてよく、シャーシは、平行な側部で構成されるシャーシ筐体を定め、シャーシから取り外し可能なモジュール式の電子デバイス又は他のデバイスのためのガイドをもたらすように構成される。シャーシは、複数のモジュール式の電子デバイスを含んでよい。モジュール式の電子デバイスの数及び大きさ並びに隣接するモジュール式の電子デバイスの間の距離は異なってよい。シャーシは、モジュール式の電子デバイスの挿入のための開口を含んでよい。更に、シャーシは、モジュール式の電子デバイスに電力を提供したりモジュール式の電子デバイスとデータを交換したり等するためにモジュール式の電子デバイスをシャーシと連結するよう、シャーシ筐体の後方に少なくとも１つのコネクタを含んでよい。コネクタは、モジュール式の電子デバイスと連結されるように構成されてよい。
【００２２】
シャーシ内へのモジュール式の電子デバイスの挿入は、モジュール式の電子デバイスのための開口の正面にモジュール式の電子デバイスを位置付けること、及び、モジュール式の電子デバイスがシャーシの後方においてコネクタと連結するまで、モジュール式の電子デバイスをシャーシに沿って押すことに存してよい。シャーシからのモジュール式の電子デバイスの取外しは、２つのステップ、即ち、第１に、シャーシの後方にあるコネクタからモジュール式の電子デバイスを切り離すこと、そして、第２に、モジュール式の電子デバイスをシャーシから排出することを含んでよい。
【００２３】
モジュール式の電子デバイスをシャーシから取り外す例示的な装置は、図１を参照して例示されてよい。図１は、幾つかの例示的な実施態様に従った、モジュール式の電子デバイスをシャーシから取り外す装置１００の略図である。シャーシ１０５は、モジュール式の電子デバイス１１５を取り囲むように構成されるシャーシ筐体１１０を定める。モジュール式の電子デバイス１１５は、かなりの変動に晒され、ハードディスクドライブ（ＨＤＤ）、ソリッドステートディスク（ＳＳＤ）、ディスクアレイ、コンパクトディスク、フラッシュメモリモジュール、及びデータを格納し得る同等のデバイスのうちの１つ又はそれよりも多くを含んでよい。装置１００は、シャーシ筐体１１０の正面においてシャーシ１０５に旋回的に連結されるドア１２０を含んでよい。ドア１２０は、ドア１２０を摺動可能に係合し且つドア１２０に沿って一次元に動くように構成される摺動要素１２５のための機械的な取付地点及びガイドとして作用する。矢印１６０は、ドア１２０に沿って摺動要素１２５を動かすことの可能な方向のうちの１つを示している。摺動要素１２５は、シャーシ筐体１１０の後方に配置される排出アクチュエータ１３０に連結されてよい。摺動要素１２５及び排出アクチュエータ１３０は、リンク要素１３５を用いて、剛的に又は可撓に、互いに対して連結されてよい。リンク要素１３５は、第１のリンク要素端と、第２のリンク要素端とを有してよく、第１のリンク要素端によって、摺動要素１２５に接続されてよい。リンク要素１３５は、第２のリンク要素端によって排出アクチュエータ１３０に接続されてよい。様々な実施態様において、リンク要素１３５は剛的又は可撓であってよい。剛的なリンク要素１３５は、単一要素又はマルチリンク要素として構成されてよい。可撓なリンク要素１３５は、ファイバ、ストリング、釣糸、ワイヤ、及び同等物を含んでよい。リンク要素１３５は、シャーシ１０５へのドア１２０の旋回的な連結の地点１４０を通過してよい。ドア１２０の長さは、モジュール式の電子デバイス１１５の排出の力を調整するよう可変であってよい。
【００２４】
装置１００は、任意的に、モジュール式の電子デバイス１１５を案内する少なくとも１つのガイドレール１４５を含んでよい。ガイドレール１４５は、シャーシ筐体１１０の開口の辺りからシャーシ筐体１１０の後方まで延びてよい。排出アクチュエータ１３０は、シャーシ筐体１１０に沿って動くように構成されてよく、任意的に、ガイドレール１４５に沿って動くように構成されてよい。好適な実施態様において、排出アクチュエータ１３０は、角度付けられた構造を有してよく、具体的には、排出アクチュエータ１３０は、隅持送り(angle  bracket)として構成されてよい。角度付き構造の故に、排出アクチュエータ１３０は、シャーシ筐体１１０の後方からモジュール式の電子デバイス１１５の挿入のための開口に向かう方向にシャーシ１０５に沿って移動しながら、モジュール式の電子デバイス１１５を押してよい。モジュール式の電子デバイス１１５を押すことは、モジュール式の電子デバイス１１５をシャーシ１０５と連結するシャーシ筐体１１０の後方にあるコネクタ１５０からのモジュール式の電子デバイス１１５の切離しをもたらす。更に、モジュール式の電子デバイス１１５を押すことは、モジュール式の電子デバイス１１５をシャーシ筐体１１０に沿って開口に向かう方向に移動させることをもたらし、そして、最終的に、モジュール式の電子デバイス１１５をシャーシ１０５から取り外すことをもたらす。
【００２５】
ドア１２０は、閉塞位置と開放位置との間で地点１４０の周りを回転するように構成されてよい。矢印１５５は、ドア１２０の回転の可能な方向のうちの１つを示している。ドア１２０の閉塞位置及び開放位置を、図２Ａ及び２Ｂを参照して詳細に示す。
【００２６】
図２Ａ及び２Ｂは、幾つかの例示的な実施態様に従った、モジュール式の電子デバイスを取り外す装置の斜視図２００，２０５を示している。図２Ａ及び２Ｂは、重ねて取り付けられるモジュール式の電子デバイスを取り外すための２つの装置１００ａ，１００ｂを備える例示的な実施態様を示している。図２Ａ及び２Ｂの上方装置１００ａのドア１２０は、閉塞位置において示されている。閉塞位置において、ドア１２０は、モジュール式の電子デバイスを機械的に捕捉するよう、並びに、モジュール式の電子デバイスが切り離されるのを防止するよう、例えば、シャーシから偶発的に取り外されることを防止するよう、シャーシ筐体１１０を覆ってよい。更に、閉塞位置にあるドア１２０は、シャーシからの電磁放射を防止してよい。図２Ａ及び２Ｂの下方装置１００ｂのドア１２０は、開放位置において示されている。この位置において、ドア１２０は、シャーシからのモジュール式の電子デバイスの取外しを可能にしてよい。幾つかの実施態様において、装置１００ａ，１００ｂは、モジュール式の電子デバイスの寸法変動に順応するように構成されてよい。この目的のために、バネ要素（図示せず）は、例えば、シャーシの後方に或いはシャーシの任意の他の側部に取り付けられて、モジュール式の電子デバイスをシャーシに連結するコネクタ（図示せず）に対してモジュール式の電子デバイスを押す。
【００２７】
各々の装置１００ａ，１００ｂは、任意的に、ドア１２０をシャーシとの係合位置に施錠(係止)(ロック)するように構成される施錠部材２１０を含んでよい。施錠部材２１０は、ラッチ又は当業者に既知の任意の他の適切な種類のロックを含んでよい。施錠部材２１０は、シャーシからのモジュール式の電子デバイスの不正な取外しを防止してよい。更に、施錠部材２１０は、モジュール式の電子デバイスがシャーシから取り外されたか否か或いは再挿入されたか否かを示す不正開放防止シールとして構成されてよい。
【００２８】
図２Ａ及び２Ｂの上方装置１００ａの摺動要素１２５は、摺動要素１２５の初期位置において示されている。この位置において、摺動要素１２５は、ドア１２０から延びていない。図２Ａおよび２Ｂの下方装置１００ｂにおいて、摺動要素１２５は、ドア１２０から延びた状態（即ち、ドア１２０から引き出された状態）で示されている。
【００２９】
図２Ａ及び２Ｂが示すように、排出アクチュエータ１３０は、隅持送りとして構成されてよく、モジュール式の電子デバイスを押すプッシャ２１５を含んでよい。更に、排出アクチュエータ１３０は、バネ部材２２０を含んでよい。バネ部材２２０は、第１のバネ部材端と、第２のバネ部材端とを有してよい。バネ部材２２０は、第１のバネ部材端によって排出アクチュエータ１３０に接続されてよく、第２のバネ部材端によってシャーシの後方に接続されてよい。シャーシとのバネ部材２２０の接続に鑑みれば、バネ部材２２０は、排出アクチュエータ１３０がシャーシに沿ってモジュール式の電子デバイスの挿入のための開口に向かって移動させられた後に、排出アクチュエータ１３０をシャーシ筐体１１０内の排出アクチュエータ１３０の初期位置に戻す（復帰させる）ように構成されてよい。
【００３０】
ある例示的な実施態様において、排出アクチュエータ１３０は、電気モータ（図示せず）で機械化されてよい。加えて、排出アクチュエータ１３０は、モジュール式の電子デバイスの完全な又は不完全な挿入又は取外しを使用者に知らせる（警報する）ように構成される少なくとも１つの感知手段（図示せず）に電子的に連結されてよい。警報はシャーシと関連付けられる１つ又はそれよりも多くの発光ダイオード（ＬＥＤ）（図示せず）によって促進されてよい。任意的に、警報はシャーシと関連付けられる音発生ユニット（図示せず）によって促進されてよい。
【００３１】
図３は、幾つかの例示的な実施態様に従った、モジュール式の電子デバイスをシャーシから取り外す装置を組み立てることの概略図３００を示している。重ねて取り付けられるモジュール式の電子デバイスを取り外す２つの装置を組み立てることの例示的な実施態様が、図３に示されている。モジュール式の電子デバイスをシャーシから取り外す装置を組み立てることは、摺動要素１２５をドア１２０と係合させることで開始してよい。摺動要素１２５は、少なくとも１つの接続部材３０５を用いてドア１２０と連結させられてよい。この目的のために、ドア１２０は、少なくとも１つの開口３１０を有してよい。接続部材３０５は、摺動要素１２５のないドア１２０の側から、開口３１０の正面に位置付けられてよい。少なくとも１つの締結具３１５（ファスナ）が、接続部材３０５を通り抜け、開口３０５を通過し、摺動要素１２５内に入り、それにより、ドア１２０に沿う摺動要素１２５の摺動可能な動作を可能にする。特定の実施態様において、摺動要素１２５は、ドア１２０内に直接的に挿入されるように構成されてよい。従って、接続部材は、摺動要素１２５をドア１２０と連結するために必要とされないことがある。
【００３２】
組立ては、摺動要素１２５との摺動可能な係合状態にあるドア１２０を、シャーシ筐体（図示せず）の正面においてシャーシ（図示せず）に旋回的に連結することを更に続けてよい。この目的のために、旋回的な連結は、モジュール式の電子デバイスの挿入のための開口（図示せず）に据え付けられる少なくとも１つの旋回軸３２０を用いて遂行されてよい。ドア１２０は、軸３２０の上に据え付けられてよい。任意的に、少なくとも１つのガイドレール１４５は、シャーシ筐体内に配置されてよい。ガイドレール１４５は、モジュール式の電子デバイスをシャーシ筐体内に案内してよい。
【００３３】
ドア１２０をシャーシに連結した後に、排出アクチュエータ１３０は、シャーシ筐体（図示せず）の後方に配置されてよい。排出アクチュエータ１３０は、バネ部材２２０の第１の端に接続されてよく、第２の端は、シャーシ（図示せず）の後方に据え付けられる軸３２５に接続されてよい。ある例示的な実施態様において、排出アクチュエータ１３０は、ガイドレール１４５に沿って移動するように構成されてよい。
【００３４】
更に、摺動要素１２５は、リンク要素１３５を用いて排出アクチュエータ１３０と連結させられてよい。この目的のために、第１のリンク要素端が摺動要素１２５に接続されてよく、第２のリンク要素端が排出アクチュエータ１３０に接続されてよい。特定の実施態様において、リンク要素１３５は、摺動要素１２５に接続される接続部材３０５に接続されてよい。更なる実施態様において、リンク要素１３５は、摺動要素１２５に直接的に接続されてよい。リンク要素１３５は、リンク要素１３５が軸３２０を通じて（即ち、シャーシにドア１２０を旋回的に連結する地点を通じて）進むように据えられてよい。
【００３５】
図４は、幾つかの例示的な実施態様に従った、モジュール式の電子デバイスをシャーシから取り外す装置を組み立てる方法４００を例示するフローチャートである。方法４００は、操作４０２で、摺動要素をドアと係合させることで開始してよい。操作４０４で、ドアをシャーシ筐体の正面においてシャーシに旋回的に連結させてよい。方法４００は、操作４０６で、排出アクチュエータをシャーシ筐体の後方に配置することに進んでよい。第１のバネ部材端と第２のバネ部材端とを有するバネ部材に排出アクチュエータを接続してよく、その場合には、操作４０８で、第１のバネ部材端を排出アクチュエータに接続してよく、第２のバネ部材端をシャーシの後方に接続してよい。操作４１０で、第１のリンク要素端と第２のリンク要素端とを有するリンク要素を、第１のリンク要素端によって摺動要素に接続してよく、第２のリンク要素端によって排出アクチュエータに接続してよい。操作４１２で、シャーシへのドアの旋回的な連結の地点を通じてリンク要素を据えてよい。特定の任意的な操作において、ドアの長さは、モジュール式の電子デバイスの排出の力を調整するよう可変であってよい。
【００３６】
方法４００は、任意的に、少なくとも１つのガイドレールをシャーシ筐体内に配置してモジュール式の電子デバイスを案内することに進んでよい。任意的な操作では、排出アクチュエータを、モジュール式の電子デバイスの完全な又は不完全な挿入又は取外しを知らせる（警報する）ように構成される少なくとも１つの感知手段に電子的に連結してよい。更なる任意的な操作では、電気モータで排出アクチュエータを機械化してよい。
【００３７】
図５Ａは、幾つかの例示的な実施態様に従った、シャーシ１０５内へのモジュール式の電子デバイス１１５の挿入の概略図５００を示している。モジュール式の電子デバイス１１５をシャーシ１０５内に挿入するために、モジュール式の電子デバイスを取り外す装置のドア１２０が開放されてよく、モジュール式の電子デバイス１１５は、シャーシ１０５の開口内に挿入されてよい。モジュール式の電子デバイス１１５は、モジュール式の電子デバイス１１５がシャーシ１０５内に完全に挿入されるまで、シャーシ１０５の後方に向かう方向に押されてよい。モジュール式の電子デバイス１１５が挿入された後に、ドア１２０は、ドア１２０がモジュール式の電子デバイス１１５の挿入又は取外しを可能にしてよいときの図５Ａに示す開放位置から、モジュール式の電子デバイス１１５がシャーシ１０５から取り外されるのを防止するようドア１２０がシャーシ筐体を覆ってよいときの閉塞位置まで、シャーシ１０５へのドア１２０の旋回的な連結の地点の周りで回転させられてよい。ある例示的な実施態様では、シャーシ１０５との係合位置においてドア１２０を施錠するよう、施錠部材（図示せず）が施錠されてよい。
【００３８】
図５Ｂは、幾つかの例示的な実施態様に従った、シャーシ１０５からのモジュール式の電子デバイス１１５の取外しの概略図５１０を示している。ある例示的な実施態様では、モジュール式の電子デバイス１１５をシャーシ１０５から取り外すために、ドア１２０をシャーシ１０５との係合位置から解錠（アンロック）するよう、施錠部材（図示せず）が解錠されてよい。次に、ドア１２０は、閉塞位置からドア１２０がシャーシ１０５からのモジュール式の電子デバイス１１５の取外しを可能にしてよい開放位置まで、シャーシ１０５へのドア１２０の旋回的な連結の地点の周りで回転させられてよい。図５Ｂにおいて、ドア１２０は開放位置において示されている。その後、摺動要素１２５は、シャーシ筐体から離れるドア１２０に沿う方向に引っ張られてよい。リンク要素（図示せず）を介して排出アクチュエータ（図示せず）と連結させられる摺動要素１２５の移動は、排出アクチュエータの移動を引き起こしてよい。移動中、排出アクチュエータは、シャーシ筐体内のモジュール式の電子デバイスを、モジュール式の電子デバイス１１５の挿入のための開口に向かう方向に押してよい。モジュール式の電子デバイス１１５を押すことは、モジュール式の電子デバイス１１５をシャーシと連結するシャーシ筐体の後方にあるコネクタからのモジュール式の電子デバイス１１５の切離すこと、及びモジュール式の電子デバイス１１５をシャーシ筐体に沿ってモジュール式の電子デバイス１１５の挿入のための開口に向かう方向に移動させることをもたらしてよい。モジュール式の電子デバイス１１５がモジュール式の電子デバイス１１５を捕らえるのに十分な長さに亘ってシャーシから延出するとき、モジュール式の電子デバイス１１５は捕らえられて、シャーシ１０５から取り外されてよい。モジュール式の電子デバイスの排出の後に、摺動要素１２５は解放させられてよい。摺動要素１２５の解放の後に、バネ部材の一端によってシャーシの後方に接続されるバネ部材への排出アクチュエータの接続に鑑み、バネ部材はシャーシ筐体内の初期位置への排出アクチュエータの復帰を可能にしてよい。
【００３９】
図６は、幾つかの例示的な実施態様に従った、モジュール式の電子デバイスをシャーシから取り外す装置を使用する方法６００を例示するフローチャートである。方法６００は、任意的に、操作６０２で、ドアをシャーシとの係合位置から解錠するよう、ドアとの摺動可能な係合において施錠部材を動かすことで開始してよい。操作６０４で、ドアを、ドアがシャーシからのモジュール式の電子デバイスの取外しを可能にするときの開放位置まで、シャーシへのドアの旋回的な連結の地点の周りで回転させてよい。方法６００は、摺動要素をシャーシ筐体から離れる方向にドアに沿って摺動させる（即ち、摺動要素をモジュール式の電子デバイスを取り外している人に向かう方向にドアに沿って引っ張る）操作６０６に進んでよい。操作６０８で、ドアに沿って摺動要素を引っ張る力を調整することによって、モジュール式の電子デバイスの排出の力を任意的に調整してよい。摺動要素を引っ張る力が高ければ高いほど、シャーシからのモジュール式の電子デバイスの排出の力も高い。リンク要素を用いて排出アクチュエータに連結される摺動要素を引っ張ることは、モジュール式の電子デバイスの挿入のための開口に向かう方向におけるシャーシに沿う排出アクチュエータの移動を引き起こしてよい。排出アクチュエータは、移動中、モジュール式の電子デバイスを排出アクチュエータの移動の方向に押して、シャーシからのモジュール式の電子デバイスの切離し及びシャーシからのモジュール式の電子デバイスの排出を引き起こしてよい。操作６１０で、摺動要素１２５を解放してよい。摺動要素を解放することは、排出アクチュエータ及びシャーシの後方に接続されるバネ部材を用いたシャーシ筐体内の排出アクチュエータの初期位置への排出アクチュエータの復帰をもたらしてよい。
【００４０】
よって、モジュール式の電子デバイスをシャーシから取り外す装置及びモジュール式の電子デバイスをシャーシから取り外す装置を組み立てる方法が開示される。特定の例示的な実施態様を参照して実施態様を記載したが、本出願のより広い精神及び範囲から逸脱せずに様々な修正及び変更をこれらの例示的な実施態様に行い得ることが明らかであろう。従って、明細書及び図面は、限定的な意味よりも、むしろ例示的な意味において考えられるべきである。
【図１】
2016525796.tif 000003
【図２Ａ】
2016525796.tif 000004
【図２Ｂ】
2016525796.tif 000005
【図３】
2016525796.tif 000006
【図４】
2016525796.tif 000007
【図５Ａ】
2016525796.tif 000008
【図５Ｂ】
2016525796.tif 000009
【図６】
2016525796.tif 000010
【国際調査報告】
2016525796.tif 000011